(57)【要約】【課題】  リンクの一つの有効長を調整するための新規装置を備えた、平行のピボットジョイントによって枢軸回転自在に共に連結された四つのリンクからなるリンク機構を含むトングを提供する。【解決手段】  リンク機構は、トングの閉鎖位置において１８０°接近する角度を形成する、相互に対して連結された二つのリンクを含み、二つのリンクのうちの一つのリンクの長さは調整可能であり、そのリンクの長手方向へ移動自在の二つの部を含み、二つの部の第一部は第二部により担持されかつ調整可能リンクのピボットジョイントのシャフトを案内するためのスロットを含む。シャフトは、その周辺に形成され相互に分離の第一形成部を有し、第一形成部はシャフトから相互に異なる間隔を置き、第二部はシャフトを中心に回転自在であり、第一部は長さ調整可能リンクの長軸上に第一形成部に概ね対応して第一形成部と係合する第二形成部を含む。【選択図】      図３
2004207229.tif 000002
【特許請求の範囲】
【請求項１】
平行のピボットジョイント(２３’，２４’，３１’，３２’）により共に枢軸回転自在に連結された四つのリンクからなるリンク機構（１２，２０，２２，３０）を含み、前記リンク機構がトングの閉鎖端位置で１８０°に接近する角度を形成する二つの相互に連結されたリンク（２０，３０）を含み、かつ前記二つのリンクのうちの一つのリンク（３０）の長さが調整自在であるトングにおいて、
長さ調整自在のリンク（３０）はそのリンクの長手方向において移動自在の二部を有し、前記二部の第一部（３６）は第二部（７０）に担持されかつ調整自在のリンク（３０）のピボットジョイントのピボットシャフト（３１）を案内するスロット（５１）を含み、
前記ピボットシャフト（３１）は周辺まわりに配設された相互に分離した複数の第一形成部（３３）を有する円形体（５０）を担持し、
前記第一形成部は前記ピボットシャフト（３１）から相互に異なる距離に位置し、
前記第二部（７０）は前記ピボットシャフト（３１）を中心に回転自在であり、
前記第一部（３６）は長さ調整自在のリンク（３０）の長軸上に第二形成部（３８）を含み、かつ
前記二形成部（３８）は前記第一形成部の一つと係合すべく第一形成部（３３）に概ね対応する形態であることを特徴とする、トング。
【請求項２】
周辺で隣接する前記第一形成部（３３）は前記第二部（７０）のピボット軸を中心に相互に対して同一角距離を有し、かつ前記第一部のピボット軸に対する前記第一形成部の間隔は選択可能であることを特徴とする、請求項１によるトング。
【請求項３】
前記第一形成部は前記第二部（７０）のピボット軸上に中心のある螺旋路のまわりに形成されていることを特徴とする、請求項２によるトング。
【請求項４】
前記第一形成部（３３）および第二形成部（３８）は相互に対して共働する概ね円弧形態を有することを特徴とする、請求項１〜３のいずれか１によるトング。
【請求項５】
前記第二部（７０）により担持された円形体（５０）は前記第一部上の当接面（５７）上に当接する側面（５２）を有し、かつ前記調整自在のリンクの二つのピボット軸は相互に対して平行であることを特徴とする、請求項１〜４のいずれか１によるトング。
【請求項６】
前記調整自在のリンクの第一部（３６）はラッチ機構（３３ａ，３４）の一部を形成するカム（３３ａ）を担持していることを特徴とする、請求項１〜５のいずれか１によるトング。
【発明の詳細な説明】
【技術分野】
【０００１】
本発明は請求項１の導入部に記載のトングに関する。
更に具体的には、本発明は手動操作クリンプ工具の形態のトング、即ち、ケーブルシュー、ケーブルスリーブ等を特にケーブルの心線の端により電気コンタクトにプレスもしくは加圧するための工具に関する。
【背景技術】
【０００２】
本発明はＤＥ２．５５５０７１Ｃ２から既知の種類のトングに関する。この既知種類のトングは、閉鎖リンクリングを形成するためにピボットジョイントにより相互に対して枢軸回転自在に連結された四つのリンクを含むのが好ましいリンク機構から成る。二つのリンクは堅く連結されたハンドグリップ脚を有し、他の二つのリンクはそれぞれクランプ顎を担持し、クランプ顎はその工具のクリンプ要素を形成する。第一リンクは、一端部が一つのクランプ／クリンプ顎を形成し、かつ他端部がハンドグリップ脚を形成するように両端で伸長している。第一リンクと連結する第二リンクの部はトングの第二クランプ／クリンプを形成する延長部を有する。第二リンクと結合する第三リンクはそこへ堅く連結されたハンドグリップ脚を有する。第四リンクは第三リンクと第一リンク間を連結する。リンク機構の幾何学形態は好適には、クランプ顎が一緒になるときに、第三および第四リンクが相互に軸方向へ接近するように形成される。第三および第四リンクの相互のピボット点は、当然ながら実用的理由から中心死角位置を通過しないが、上記構成が、トングの最終閉鎖の瞬間にクランプ顎間に極めて高い締付力を手により加えることを可能にする。リンク機構の最適化はトングの閉鎖時に相対的に重い仕事の手による達成を可能にする。
【０００３】
第三および第四リンクが相互に軸方向へ接近するときに、非常に大きな力が第三および第四リンクへ伝達されるので、これらのリンクおよびピボットジョイントはその間で非常に大きな弾力を受け、かつ第三と第四リンク間の間隙／遊びが解消される。その結果として、そのクランプ顎間に高い締付け力が発生させるために、第三および第四リンクの有効長を調整することが適当である。この観点で、機構のピボットジョイントの一つに、そして特に第四リンクのピボットジョイントの一つに、リンクの一つに枢軸回転自在に取り付けられかつそれに連結された隣接リンクのシャフトを受ける偏心スリーブを有する偏心装置を設けることが知られている。連結リンクの有効長は取り付けた状態でスリーブを回転することによって調整される。同様に、偏心スリーブに、スリーブ軸受けの回転軸と同軸の周辺を有し、かつスリーブを所定セットの回転位置に係止する円形端プレートを設けることが既知である。この端プレートは複数の分離リセスを少なくともその周辺の一部に有し、かつ選択されたリセスは固定位置に設置された係止ピンと係合するように構成される。
【０００４】
更に、クランプ顎が再開放する前に確実にトングの閉鎖運動を終了させるラッチ機構をかかるトングに設けることは既知である。このラッチ機構はカムを含み、このカムは一列の歯を含んでよく、かつ移動自在のバネ負荷ラッチ要素と共働する。クランプ顎の閉鎖時に、ラッチ要素は移動してクランプ顎の連続的閉鎖を可能にするが、その機構／クランプ顎が所定終端位置に到達するまで、即ち、一列の歯が転換してリンク機構／顎の開放を可能にする位置に達するまで、カムとの共働運動によって、その機構の開放運動の開始を阻止する。ラッチ要素は、例えば、ラッチ要素がカムと係合し始めるときに、再度、顎開放運動を阻止するように構成されている。かかるラッチ機構はＤＥ２−５５５０７１から既知である。
【０００５】
我々は上記種類の偏心装置が幾つかの欠点を有することを発見した。偏心スリーブへ伝達される大きい負荷のために、スリーブは多くの回転位置で相対的に大きいトルクを受ける。このトルクは回転しないようにスリーブを係止することを要求する。既知偏心スリーブを係止する手段は、構造的設計の点および手動操作の点で、複雑である。更に、スリーブの性質の結果として、端プレートの周辺に同一間隔を置くリセスは関係するリンクの有効長に異なる変化を示す。
【０００６】
【特許文献１】ＤＥ２−５５５０７１
【発明の開示】
【発明が解決しようとする課題】
【０００７】
従って、本発明の課題は、複数リンク中の一つのリンクの有効長を調整するための新規装置を有するトングを提供することにより、上述の欠点を完全またはその一部を解消することにある。
【課題を解決するための手段】
【０００８】
上記課題は本発明の手段により達成される。
本発明は請求項１に規定されている。
即ち、本発明によるトングは、平行のピボットジョイントにより共に枢軸回転自在に連結された四つのリンクからなるリンク機構を含み、前記リンク機構がトングの閉鎖端位置で１８０°に接近する角度を形成する二つの相互に連結されたリンクを含み、かつ前記二つのリンクのうちの一つのリンクの長さが調整自在であるトングにおいて、長さ調整自在のリンクはそのリンクの長手方向において移動自在の二部を有し、前記二部の第一部は第二部に担持されかつ調整自在のリンクのピボットジョイントのピボットシャフトを案内するスロットを含み、かつ前記ピボットシャフトは周辺まわりに配設された相互に分離した複数の第一形成部を有する円形体を担持し、前記第一形成部は前記ピボットシャフトから相互に異なる距離に位置し、前記第二部は前記ピボットシャフトを中心に回転自在であり、かつ前記第一部は長さ調整自在のリンクの長軸上に第二形成部を含み、前記二形成部は前記第一形成部の一つと係合すべく第一形成部に概ね対応する形態であることを特徴とする。
好適形態として、周辺で隣接する前記第一形成部は前記第二部のピボット軸を中心に相互に対して同一角距離を有し、かつ前記第一部のピボット軸に対する前記第一形成部の間隔は選択可能である。
他の好適形態において、前記第一形成部は前記第二部のピボット軸上に中心のある螺旋路のまわりに形成されている。
他の好適形態において、前記第一形成部および第二形成部は相互に対して共働する概ね円弧形態を有する。
他の好適形態において、前記第二部により担持された円形体は前記第一部上の当接面上に当接する側面を有し、かつ前記調整自在のリンクの二つのピボット軸は相互に対して平行である。
他の好適形態において、前記調整自在のリンクの第一部はラッチ機構の一部を形成するカムを担持している。
【発明を実施するための最良の形態】
【０００９】
次に、添付図面を参照して例示として本発明を説明する。
図１は、相互に対してジョイント２４’，２３’，３２’，３１’により連結された四つのリンク１２，２２，２０，３０を有する電気コンタクト加圧トングを示す。リンク１２，２２は、電気コンタクト加圧要素４０，４１が取り付けられたクランプ顎を形成する延長部１３，２５を有する。リンク２０および１２はハンドグリップ脚１１，２１を形成する延長部を有する。
【００１０】
トングの閉鎖位置において、リンク２０，３０は軸方向において相互に対して接近する。即ち、ジョイント３２はジョイント２３’，３１’を結ぶ線に接近する。引張りバネ７はリンク３０とハンドグリップ脚１１間で、トングのクランプ顎を開放状態へ向けて付勢するように、連結されている。図２はジョイントのシャフト３１，３２を示し、かつ更にバネ取り付け開口部６０およびカム３３ａを示し、カム３３ａは歯を有しかつジョイント３２’と同軸である。交差歯３４はカム３３ａと係合するようにシャフト３４ｂ上に枢軸回転自在に取り付けられる。交差歯は点３４ｃでハンドグリップ脚２１へ固定されたバネ３４ａによって回転自在に付勢される。その幾何学形状から理解されるように、交差歯はカム３３ａに沿って移動しかつカム３３ａと共にクランプ顎の閉鎖を可能にし、交差歯がカムの端Ｃに達するまでトングの開放を阻止する。カムの端Ｃに達した時点で交差歯はバネ３４ａの影響により転換し、それによりクランプ顎の開放を可能にする。本発明によれば、リンク３０は二つの部３６および７０を構成する。第一部３６はリンク２０内に取り付けられかつカム３３ａを担持するシャフト３２を担持する。第一部３６は、また、ボア５６／軸３２の方向に細長く延びたスロット５１を含む。
【００１１】
リンクの第二部７０はシャフト３１を含み、かつ周辺に分離リセス３３を有する円形体５０を担持する。リセス３３は好適にはシャフト３１から同一角距離αを相互に対して置く。円形体の周辺方向において相互に対して隣接したリセスはシャフト３１から距離Ｒに関して変化している。リセス３３の底辺は好適にはシャフト３１の軸を中心とする螺旋路のまわりに位置する。
【００１２】
図３および４から理解されるように、第二部７０のシャフト３１は第一部３６のスロット５１へ伸長し、かつシャフト３２へ向かいかつそこから離れるようにスロット５１により案内される。第一部３６は、更に、円形体５０の一つの主要側面５２が当接するショルダ５７を含む。リンクの第一部３６はその部３６の軸、即ち、開口部５６とスロット５１の中心を結ぶ線、に隣接して湾曲突起３８を担持する。突起３８はリセス３３に対応する形態である。
【００１３】
引張りバネ４０はシャフト３１，３２に連結されかつ二つの部３６，７０を一緒にリンク３０の軸方向へ引っ張る作用をする。理解されるように、円形体５０上のリセスまたはノッチ３３はリンク３０の長軸に沿って突起３８と共働する。円形体５０は、従って、リンク３０がスラストを受けるときに、シャフト３１を中心とするトルクを受けない。
【００１４】
リセス３３の底辺がシャフト３１の回転軸から選択された間隔で形成されるので、リセス３３がジョイント３１’の軸に対して螺旋状に接触するようにその回転軸の周辺にリセス３３を等間隔で形成することができる。その結果、円形体５０の各回転増加はリンク３０の有効長において同一変化を示す。
【００１５】
シャフト３１は好適には円形体５０に堅く固定され、かつトングの外部に見られるスクリュドライバのスロット７２一端に含む。トングが負荷から自由であるときに、円形体５０は、リセス３３および突起３８からなる形成部、そしてバネ４０の付勢がそれを可能にすることを条件として、オペレータがトングの閉鎖位置を調整するためにスクリュドライバを用いて容易に回転させることができる。
【００１６】
トングのハンドグリップ脚は、通常、その間にリンクの端部を受け、かつジョイント３１’，３２’の軸方向において調整可能リンクの部を一緒に保持する、相互に対して平行の二つのプレートを含む。
【図面の簡単な説明】
【００１７】
【図１】従来既知のトングの概略側面図である。
【図２】図１のトングの一部を示す。
【図３】図１のトングにおいて、従来リンクの代わりに本発明によるリンクを示す。
【図４】図３のＩＶ−ＩＶ線上の図である。
【図５】図３のリンクの一部を示す。
【図６】図５のＶＩ−ＶＩ線上の断面図である。
【図７】図３のリンクの他の一部を示す平面図である。
【図８】図７のＶＩＩＩ−ＶＩＩＩ線上の図である。
【符号の説明】
【００１８】
３０…リンク
３１，３２…シャフト
３３…リセスまたはノッチ
３６，７０…部
３８…突起
４０…引張りバネ
５０…円形体
【図１】
2004207229.tif 000003
【図２】
2004207229.tif 000004
【図３】
2004207229.tif 000005
【図４】
2004207229.tif 000006
【図５】
2004207229.tif 000007
【図６】
2004207229.tif 000008
【図７】
2004207229.tif 000009
【図８】
2004207229.tif 000010